(57)【要約】      （修正有）【課題】横筋と縦筋が完全に型枠に囲まれてしまったときにおいても、型枠の上部からこれらの間に工具を入れて横筋の位置ずれを修正することができる鉄筋台直し工具を提供する。【解決手段】鉄筋台直し工具１を両型枠１０３、１０４の間に上部から入れ、突き当て杆２の下端部の平板３の切り込み３ａと鉄筋捻りブロック４の切り込み内に縦筋１０２の下端部を入り込ませる。突き当て杆２を、その側面を横筋１０１に当てて押し付け、該横筋１０１が所定位置になるように保持して縦筋１０２を一時的に撓める。加圧操作レバー６を縦筋１０２を傾ける方向に押し付けて鉄筋捻りブロック４を所要角度に揺動させる。加圧操作レバー６を握っている手を緩めても横筋１０１の位置が変わらない状態になったら加圧を止める。これにより縦筋１０２の下端部は捻りを加えられて塑性変形し、横筋１０１の位置ずれは修正される。【選択図】図４
0003151057.tif 000002
【実用新案登録請求の範囲】
【請求項１】
所要の長さを有する角柱状をなし、下端部に、前端側に縦筋の下端部を前方から嵌め込む切り込みを設けた平板を直角に固定した突き当て杆と、前記突き当て杆の前面下端近傍における前記平板の上部に垂直方向揺動自在に軸着した、所要の厚味を有する板状をなし、前端側の前記平板の切り込みの真上に位置する箇所に縦筋の下端近傍部を前方から嵌め込む切り込みを設け、更に側方に後記連接杆との連結部を突設した鉄筋捻りブロックと、前記突き当て杆の前面における上端からやや離れた位置に垂直方向揺動自在に軸着すると共に、その揺動支点となる軸側の端部に、前記鉄筋捻りブロックの連結部と同一方向の後記連接杆との連結部を突設した加圧操作レバーと、前記鉄筋捻りブロックの連結部と前記加圧操作レバーの連結部に夫々両端部を枢着連結した連接杆とからなることを特徴とする鉄筋台直し工具。
【考案の詳細な説明】
【技術分野】
【０００１】
本考案は、鉄筋コンクリート製の構造物を築造する際の配筋作業において用いる鉄筋台直し工具に関するものである。
【背景技術】
【０００２】
鉄筋コンクリート製の構造物、例えば鉄筋コンクリートの壁を構築するときには、横筋と縦筋を格子状に組んだ鉄筋組体の両側に型枠を組み付け、この型枠間にコンクリートを流し込んで構築する。
【０００３】
そして、上記構築作業工程における配筋作業、即ち鉄筋組体を土台上に配置する作業は、全て作業員による手作業によって行われる。
【０００４】
ところで、鉄筋組体における横筋は、所謂「かぶり」（鉄筋組体と型枠との距離）との関係から、必ず両型枠の間における中央部に位置していなければならない。
【０００５】
しかしながら、上記の通り配筋作業は常に人手による作業であることから、横筋が正位置にあることは稀で、殆どの場合中心からずれている。
【０００６】
即ち、図７において１００は土台、１０１は鉄筋組体における横筋、１０２は縦筋、１０３、１０４は型枠であり、該図に示す通り、縦筋１０２が実線で示す如く、両型枠１０３、１０４の間隔Ｗの中心Ａの位置に垂直に立設されているとすると、横筋１０１の中心ＢはＬの距離だけ両型枠１０３、１０４の間隔Ｗの中心Ａからずれていることになる。また、仮想線で示す如く、縦筋１０２が傾いている場合にも同様のことが起こる。
【０００７】
このような場合において、横筋の位置ずれを修正するために、従来図５及び図６に示す工具１０５が用いられていた。該工具１０５は、金属からなるものであり、鉄筋を加圧してこれを捻るに足りる所要の厚味を有する板状をなし、側面部に縦筋１０２の下端近傍部を側方から嵌め込む切り込み１０６ａを設けた鉄筋捻りブロック１０６と、該鉄筋捻りブロック１０６の側面から前記切り込み１０６ａと直交する方向に伸びる柄体１０７とからなるものである。
【０００８】
そして、これを使用するときには、鉄筋捻りブロック１０６を土台１００と平行するようにした状態においてその切り込み１０６ａに縦筋１０２の下端近傍部を入り込ませ、この状態において柄体１０７を該縦筋１０２を折り曲げる方向側に引き上げるものである。これにより、図６に示す如く、鉄筋捻りブロック１０６の切り込み１０６ａ内の縦筋１０２は、該切り込み１０６ａの捻り方向の外側上端縁１０６ａ′と内側下端縁１０６ｂ′によって加圧されて捻られ、塑性変形することになる。
【０００９】
しかしながら、該工具１０５の場合、図５に示す如く型枠１０３、１０４の継ぎ目の位置においては上記の作業を行うことができるが、型枠１０３、１０４が夫々長さ方向に連結され、横筋１０１と縦筋１０２が完全に型枠１０３、１０４に囲まれてしまったときには、柄体１０７が邪魔になることから、この作業を行うことができない。
【考案の概要】
【考案が解決しようとする課題】
【００１０】
本考案は上記の点に鑑みなされたものであって、横筋と縦筋が完全に型枠に囲まれてしまったときにおいても、型枠の上部からこれらの間に工具を入れて横筋の位置ずれを修正することができるようになした鉄筋台直し工具を提供しようとするものである。
【課題を解決するための手段】
【００１１】
而して、本考案の要旨とするところは、所要の長さを有する角柱状をなし、下端部に、前端側に縦筋の下端部を前方から嵌め込む切り込みを設けた平板を直角に固定した突き当て杆と、前記突き当て杆の前面下端近傍における前記平板の上部に垂直方向揺動自在に軸着した、所要の厚味を有する板状をなし、前端側の前記平板の切り込みの真上に位置する箇所に縦筋の下端近傍部を前方から嵌め込む切り込みを設け、更に側方に後記連接杆との連結部を突設した鉄筋捻りブロックと、前記突き当て杆の前面における上端からやや離れた位置に垂直方向揺動自在に軸着すると共に、その揺動支点となる軸側の端部に、前記鉄筋捻りブロックの連結部と同一方向の後記連接杆との連結部を突設した加圧操作レバーと、前記鉄筋捻りブロックの連結部と前記加圧操作レバーの連結部に夫々両端部を枢着連結した連接杆とからなることを特徴とする鉄筋台直し工具にある。
【考案の効果】
【００１２】
本考案は、上記の如き構成であるから、横筋と縦筋が完全に型枠に囲まれてしまったときにおいても、型枠の上部からこれらの間に工具を入れて横筋の位置ずれを修正することができるものである。
【図面の簡単な説明】
【００１３】
【図１】本考案の実施形態に係る鉄筋台直し工具の正面図である。
【図２】同側面図である。
【図３】同作用説明図である。
【図４】同使用方法の説明図である。
【図５】従来例の説明図である。
【図６】従来例の作用説明図である。
【図７】配筋状態の説明図である。
【考案を実施するための形態】
【００１４】
以下、本考案を実施するための形態について、図面を参照して説明する。
【００１５】
図中、１は本考案の実施形態に係る金属製の鉄筋台直し工具である。２は前記鉄筋台直し工具における突き当て杆であり、型枠１０３、１０４よりも上部が突き出る所要の長さを有する角柱状をなしている。該突き当て杆２は，その側面を横筋１０１に当てて押し付け、該横筋１０１が所定位置になるように保持して縦筋１０２を一時的に撓めるものである。また、該突き当て杆２は、その下端部に縦筋１０２の下端部を前方から嵌め込む切り込み３ａを設けた平板３を直角に固定している。
【００１６】
４は前記鉄筋台直し工具における鉄筋捻りブロックである。また、該鉄筋捻りブロック４は、前記突き当て杆２の前面下端近傍における前記平板３の上部に垂直方向揺動自在に軸着５している。また、該鉄筋捻りブロック４は、鉄筋を加圧してこれを捻るに足りる所要の厚味を有する板状をなし、前端側の前記平板３の切り込み３ａの真上に位置する箇所に縦筋１０２の下端近傍部を前方から嵌め込む切り込み４ａを設け、更に側方に後記連接杆との連結部４ｂを突設している。
【００１７】
６は前記鉄筋台直し工具１における加圧操作レバーである。また、該加圧操作レバー６は、前記突き当て杆２の前面における上端からやや離れた位置に垂直方向揺動自在に軸着７している。また、該加圧操作レバー６は、その揺動支点となる軸７側の端部に、前記鉄筋捻りブロック４の連結部４ｂと同一方向の後記連接杆との連結部６ａを突設している。
【００１８】
８は前記鉄筋台直し工具１における連接杆である。また、該連接杆８は、その両端部を夫々前記鉄筋捻りブロック４の連結部４ｂと前記加圧操作レバー６の連結部６ａに枢着８ａ、８ｂ連結している。
【００１９】
次に、上記実施形態の作用について説明する。
図４に示す如く、鉄筋台直し工具１を両型枠１０３、１０４の間に上部から入れ、そして突き当て杆２の下端部の平板３の切り込み３ａと鉄筋捻りブロック４の切り込み４ａ内に縦筋１０２の下端部を入り込ませる。次に、突き当て杆２を、その側面を横筋１０１に当てて押し付け、該横筋１０１が所定位置になるように保持して縦筋１０２を一時的に撓める。次に、この状態において、図３及び図４に示す如く、加圧操作レバー６を縦筋１０２を傾ける方向に押し付けて鉄筋捻りブロック４を所定角度θに揺動させる。また、鉄筋捻りブロック４の揺動は、加圧操作レバー６を傾けると、その連結部６ａに一端部が枢着連結された連接杆８が引き上げられ、該連接杆８の端部に枢着連結された連結部４ｂを介して鉄筋捻りブロック４が揺動するものである。そしてこれにより縦筋１０２の下端部は捻りを加えられて塑性変形するものである。尚、鉄筋捻りブロック４の切り込み４ａの縦筋１０２に対する加圧作用は、図６に示した従来の工具におけると同様である。そして、加圧操作レバー６を握っている手を緩めても横筋１０１の位置が変わらない状態になったら加圧を止める。これにより、横筋１０１の正位置への修正は終了する。そして、その後鉄筋台直し工具１を他の縦筋１０２に移動させて順次上記の動作を繰り返し、最後に両型枠１０３、１０４の間から上部に引き上げて作業を完了するものである。
【符号の説明】
【００２０】
１  鉄筋台直し工具
２  突き当て杆
３  平板
３ａ  切り込み
４  鉄筋捻りブロック
４ａ  切り込み
４ｂ  連結部
５  軸
６  加圧操作レバー
６ａ  連結部
７  軸
８  連接杆
【図１】
0003151057.tif 000003
【図２】
0003151057.tif 000004
【図３】
0003151057.tif 000005
【図４】
0003151057.tif 000006
【図５】
0003151057.tif 000007
【図６】
0003151057.tif 000008
【図７】
0003151057.tif 000009